【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであって、
前記可変表示装置に表示結果が導出される前に入賞の発生を許容するか否かを決定する事前決定手段と、
前記可変表示装置に表示結果を導出させる際に操作される導出操作手段と、
前記導出操作手段が操作されたときに、前記事前決定手段の決定結果に応じて前記可変表示装置に表示結果を導出させる制御を行う導出制御手段と、
特定遊技状態において有利表示結果が導出されたときに、該特定遊技状態よりも遊技者にとって有利な有利遊技状態に移行させる有利遊技状態移行手段と、
前記特定遊技状態において不利表示結果が導出されたときに、前記有利遊技状態よりも不利な遊技状態であり、かつ前記有利遊技状態へ移行することのない不利遊技状態に移行させる不利遊技状態移行手段と、
前記事前決定手段の決定結果が前記不利表示結果の導出を許容する不利決定結果である場合に、前記不利表示結果の導出を回避する前記導出操作手段の操作態様を特定可能な情報を報知する回避情報報知手段と、
前記回避情報報知手段を作動させる権利を付与する作動権利付与手段と、
前記回避情報報知手段を作動させる権利が付与されていることを条件に、前記特定遊技状態において前記事前決定手段の決定結果が前記不利決定結果となったときに前記回避情報報知手段を作動させる制御を行う作動制御手段と、
前記特定遊技状態において特殊表示結果が導出されたときに、規定ゲーム数の期間にわたり前記不利遊技状態へ移行することのない特殊遊技状態に制御し、該規定ゲーム数の経過後、再び前記特定遊技状態に移行させる特殊遊技状態制御手段と、
を備え、
前記作動権利付与手段は、前記特殊遊技状態において前記特定遊技状態よりも有利な条件で前記回避情報報知手段を作動させる権利を付与する
ことを特徴とするスロットマシン。
【請求項２】
遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであって、
前記可変表示装置に表示結果が導出される前に入賞の発生を許容するか否かを決定する事前決定手段と、
前記可変表示装置に表示結果を導出させる際に操作される導出操作手段と、
前記導出操作手段が操作されたときに、前記事前決定手段の決定結果に応じて前記可変表示装置に表示結果を導出させる制御を行う導出制御手段と、
遊技者にとって有利な有利遊技状態に制御する有利遊技状態制御手段と、
前記有利遊技状態において不利表示結果が導出されたときに、該有利遊技状態よりも遊技者にとって不利な不利遊技状態に移行させる不利遊技状態移行手段と、
前記事前決定手段の決定結果が前記不利表示結果の導出を許容する不利決定結果である場合に、前記不利表示結果の導出を回避する前記導出操作手段の操作態様を特定可能な情報を報知する回避情報報知手段と、
前記回避情報報知手段を作動させる権利を付与する作動権利付与手段と、
前記回避情報報知手段を作動させる権利が付与されていることを条件に、前記有利遊技状態において前記事前決定手段の決定結果が前記不利決定結果となったときに前記回避情報報知手段を作動させる制御を行う作動制御手段と、
前記有利遊技状態において特殊表示結果が導出されたときに、規定ゲーム数の期間にわたり前記不利遊技状態へ移行することのない特殊遊技状態に制御し、該規定ゲーム数の経過後、再び前記有利遊技状態に移行させる特殊遊技状態制御手段と、
を備え、
前記作動権利付与手段は、前記特殊遊技状態において前記有利遊技状態よりも有利な条件で前記回避情報報知手段を作動させる権利を付与する
ことを特徴とするスロットマシン。
【手続補正２】
【補正対象書類名】明細書
【補正対象項目名】０００９
【補正方法】変更
【補正の内容】
【０００９】
本発明の手段１に記載のスロットマシンは、請求項１に記載のスロットマシンであって、
特別入賞（特別役）が発生したときに、遊技者にとって有利な特別遊技状態（ＢＢ）に制御する特別遊技状態制御手段と、
前記特別遊技状態（ＢＢ）の終了後、前記有利遊技状態（ＲＴ（３））に移行することのない準備遊技状態（ＲＴ（０））に制御する準備遊技状態制御手段と、
前記準備遊技状態（ＲＴ（０））において所定の移行条件（移行出目（２）の停止）が成立したときに前記特定遊技状態（ＲＴ（１））に移行させる特定遊技状態移行手段と、
を備え、
前記不利遊技状態移行手段は、前記準備遊技状態（ＲＴ（０））において前記不利表示結果（リプレイ（２）（３））が導出されたときにも、前記不利遊技状態（ＲＴ（２））に移行させるようになっており、
前記作動制御手段は、前記回避情報報知手段を作動させる権利（ナビ権利）が付与されていることを条件に、前記準備遊技状態（ＲＴ（０））において前記事前決定手段の決定結果が前記不利決定結果（リプレイＧＲ（１）（２））となったときにも前記回避情報報知手段（停止順ナビ）を作動させる制御を行う
ことを特徴としている。
この特徴によれば、回避情報報知手段を作動させる権利が付与されている場合には、回避情報報知手段により報知された操作態様にて導出操作手段の操作を行うことにより、特定遊技状態へ移行し、さらに有利遊技状態へ移行させることが可能となる一方で、回避情報報知手段を作動させる権利が付与されていない場合には、準備遊技状態から、有利遊技状態へ移行する可能性のある特定遊技状態へ移行することなく不利遊技状態へ移行することが多く、偶然に有利遊技状態へ移行する可能性は低くなるため、回避情報報知手段を作動させる権利が付与されているか否かによって、遊技者の利益に明確な差を出すことができる。
【手続補正３】
【補正対象書類名】明細書
【補正対象項目名】００１０
【補正方法】変更
【補正の内容】
【００１０】
本発明の請求項２に記載のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されたことにより１ゲームが終了し、前記可変表示装置（リール２Ｌ、２Ｃ、２Ｒ）に導出された表示結果に応じて入賞が発生可能とされたスロットマシン（スロットマシン１）であって、
前記可変表示装置に表示結果が導出される前に入賞の発生を許容するか否かを決定する事前決定手段（内部抽選）と、
前記可変表示装置に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果に応じて前記可変表示装置（リール２Ｌ、２Ｃ、２Ｒ）に表示結果を導出させる制御を行う導出制御手段と、
遊技者にとって有利な有利遊技状態（ＲＴ（０１））に制御する有利遊技状態制御手段と、
前記有利遊技状態（ＲＴ（０１））において不利表示結果（リプレイ（２）（３））が導出されたときに、該有利遊技状態（ＲＴ（０１））よりも遊技者にとって不利な不利遊技状態（ＲＴ（０２））に移行させる不利遊技状態移行手段と、
前記事前決定手段の決定結果が前記不利表示結果（リプレイ（２）（３））の導出を許容する不利決定結果（リプレイＧＲ（１）（２））である場合に、前記不利表示結果（リプレイ（２）（３））の導出を回避する前記導出操作手段（ストップスイッチ８Ｌ、８Ｃ、８Ｒ）の操作態様を特定可能な情報を報知する回避情報報知手段（停止順ナビ）と、
前記回避情報報知手段（停止順ナビ）を作動させる権利（ナビ権利）を付与する作動権利付与手段と、
前記回避情報報知手段を作動させる権利（ナビ権利）が付与されていることを条件に、前記有利遊技状態（ＲＴ（０１））において前記事前決定手段の決定結果が前記不利決定結果（リプレイＧＲ（１）（２））となったときに前記回避情報報知手段（停止順ナビ）を作動させる制御を行う作動制御手段と、
前記有利遊技状態（ＲＴ（０１））において特殊表示結果（チェリー、移行出目（１））が導出されたときに、規定ゲーム数（３Ｇ、５Ｇ）の期間にわたり前記不利遊技状態（ＲＴ（０２））へ移行することのない特殊遊技状態（ＲＴ（０３）（０４））に制御し、該規定ゲーム数の経過後、再び前記有利遊技状態（ＲＴ（０１））に移行させる特殊遊技状態制御手段と、
を備え、
前記作動権利付与手段は、前記特殊遊技状態（ＲＴ（０３）（０４））において前記有利遊技状態（ＲＴ（０１））よりも有利な条件で前記回避情報報知手段を作動させる権利（ナビ権利）を付与する
ことを特徴としている。
この特徴によれば、有利遊技状態において回避情報報知手段が作動することにより、事前決定手段の決定結果が不利決定結果となった場合でも、不利表示結果を回避可能な操作態様を特定することが可能となり、その結果、報知された操作態様にて導出操作手段の操作を行うことにより不利遊技状態への移行を回避することが可能となり、有利遊技状態を維持することができる。
また、有利遊技状態において特殊表示結果が導出されることで有利遊技状態よりも有利な条件で回避情報報知手段を作動させる権利が付与される特殊遊技状態に制御されるとともに、特殊遊技状態に制御されている間は、不利遊技状態に移行することなく、規定ゲーム数の経過後に再び有利遊技状態に移行するので、回避情報報知手段を作動させる権利が付与されていないまま有利遊技状態に移行した場合であっても、実際に不利遊技状態へ移行するまでは、回避情報報知手段を作動させる権利が付与され、有利遊技状態が継続することへの期待感を持続させることができる。
【手続補正４】
【補正対象書類名】明細書
【補正対象項目名】００１１
【補正方法】変更
【補正の内容】
【００１１】
尚、請求項１、２、手段１において所定数の賭数とは、遊技用価値１単位毎に賭数が１設定される構成であれば、少なくとも２以上の賭数であって、３以上の賭数が設定されることや最大賭数が設定されることでゲームが開始可能となるようにしても良い。また、遊技用価値の複数単位毎に賭数が１設定される構成であれば、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、請求項１、２、手段１において導出操作手段の操作態様とは、複数定められた導出操作手段の操作タイミングや、複数の導出操作手段の操作順などが該当する。
また、請求項１、２、手段１において規定ゲーム数の期間にわたり前記不利遊技状態へ移行することのない特殊遊技状態とは、不利表示結果が導出されない遊技状態であっても良いし、不利表示結果が導出されても不利遊技状態に移行せずに特殊遊技状態が維持される遊技状態であっても良い。
また、請求項１、手段１において前記特殊遊技状態において前記有利遊技状態よりも有利な条件で前記回避情報報知手段を作動させる権利を付与するとは、例えば、特殊遊技状態において特定遊技状態よりも出現率の高くなる表示結果となったとき、または特殊遊技状態において特定遊技状態よりも事前決定手段により決定される確率の高い決定結果となったことを条件に、回避情報報知手段を作動させる権利を付与する構成や、同一の契機であっても特殊遊技状態において特定遊技状態よりも高い確率で回避情報報知手段を作動させる権利を付与する構成、特殊遊技状態において特定遊技状態よりも付与される権利数の平均値が高くなる確率で回避情報報知手段を作動させる権利を付与する構成、などが該当する。
また、請求項２において前記特殊遊技状態において前記有利遊技状態よりも有利な条件で前記回避情報報知手段を作動させる権利を付与するとは、例えば、特殊遊技状態において有利遊技状態よりも出現率の高くなる表示結果となったとき、または特殊遊技状態において有利遊技状態よりも事前決定手段により決定される確率の高い決定結果となったことを条件に、回避情報報知手段を作動させる権利を付与する構成や、同一の契機であっても特殊遊技状態において有利遊技状態よりも高い確率で回避情報報知手段を作動させる権利を付与する構成、特殊遊技状態において有利遊技状態よりも付与される権利数の平均値が高くなる確率で回避情報報知手段を作動させる権利を付与する構成、などが該当する。
【手続補正５】
【補正対象書類名】明細書
【補正対象項目名】００１２
【補正方法】変更
【補正の内容】
【００１２】
本発明の手段２に記載のスロットマシンは、請求項１、２、手段１のいずれかに記載のスロットマシンであって、
特別入賞（特別役）が発生したときに、遊技者にとって有利な特別遊技状態（ＢＢ）に制御する特別遊技状態制御手段と、
前記特別遊技状態（ＢＢ）の終了後、前記有利遊技状態（ＲＴ（０１））よりも不利な準備遊技状態（ＲＴ（００））に制御する準備遊技状態制御手段と、
前記準備遊技状態（ＲＴ（００））において所定の移行条件（移行出目（２）の停止）が成立したときに前記有利遊技状態（ＲＴ（０１））に移行させる有利遊技状態移行手段と、
を備え、
前記不利遊技状態移行手段は、前記準備遊技状態（ＲＴ（００））において前記不利表示結果（リプレイ（２）（３））が導出されたときにも、前記不利遊技状態（ＲＴ（０２））に移行させるようになっており、
前記作動制御手段は、前記回避情報報知手段を作動させる権利（ナビ権利）が付与されていることを条件に、前記準備遊技状態（ＲＴ（００））において前記事前決定手段の決定結果が前記不利決定結果（リプレイＧＲ（１）（２））となったときにも前記回避情報報知手段（停止順ナビ）を作動させる制御を行う
ことを特徴としている。
この特徴によれば、回避情報報知手段を作動させる権利が付与されている場合には、回避情報報知手段により報知された操作態様にて導出操作手段の操作を行うことにより、有利遊技状態へ移行させることが可能となる一方で、回避情報報知手段を作動させる権利が付与されていない場合には、準備遊技状態から、有利遊技状態へ移行することなく不利遊技状態へ移行することが多く、偶然に有利遊技状態へ移行する可能性は低くなるため、回避情報報知手段を作動させる権利が付与されているか否かによって、遊技者の利益に明確な差を出すことができる。
【手続補正６】
【補正対象書類名】明細書
【補正対象項目名】００１３
【補正方法】変更
【補正の内容】
【００１３】
本発明の手段３に記載のスロットマシンは、手段１または２に記載のスロットマシンであって、
前記作動権利付与手段は、前記準備遊技状態（ＲＴ（０）／ＲＴ（００））において前記特定遊技状態（ＲＴ（１））または前記有利遊技状態（ＲＴ（０１））よりも有利な条件で前記回避情報報知手段を作動させる権利（ナビ権利）を付与する
ことを特徴としている。
この特徴によれば、準備遊技状態において特定遊技状態または有利遊技状態よりも有利な条件で回避情報報知手段を作動させる権利が付与されるので、回避情報報知手段を作動させる権利が付与されていない状態で準備遊技状態に移行した場合でも、その後、回避情報報知手段を作動させる権利が付与され、有利遊技状態へ移行することまたは有利遊技状態に移行して有利遊技状態が継続することへの期待感を持たせることができる。
【手続補正７】
【補正対象書類名】明細書
【補正対象項目名】００１４
【補正方法】変更
【補正の内容】
【００１４】
本発明の手段４に記載のスロットマシンは、手段１〜３のいずれかに記載のスロットマシンであって、
前記所定の移行条件は、前記事前決定手段により所定入賞（小役（１）〜（９））の発生を許容する旨が決定され、かつ該所定入賞（小役（１）〜（９））を発生させることができなかった場合に導出される所定表示結果（移行出目（２））が導出されることである
ことを特徴としている。
この特徴によれば、準備遊技状態において所定表示結果が導出されず、特定遊技状態または有利遊技状態へ移行しなかった場合であっても、所定入賞を発生させることが可能となるため、特定遊技状態または有利遊技状態への移行が遅れることによる遊技者の不利益を軽減できる。
【手続補正８】
【補正対象書類名】明細書
【補正対象項目名】００１５
【補正方法】変更
【補正の内容】
【００１５】
本発明の手段５に記載のスロットマシンは、手段４に記載のスロットマシンであって、
前記事前決定手段により前記所定入賞（小役（１）〜（９））の発生を許容する旨が決定された場合に、該所定入賞（小役（１）〜（９））の入賞条件となる前記導出操作手段（ストップスイッチ８Ｌ、８Ｃ、８Ｒ）の操作態様を特定可能な情報を報知する入賞情報報知手段（小役ナビ）を備え、
前記作動制御手段は、前記有利遊技状態（ＲＴ（３）／ＲＴ（０１））において前記事前決定手段により前記所定入賞（小役（１）〜（９））の発生を許容する旨が決定された場合に、前記入賞情報報知手段（小役ナビ）を作動させる
ことを特徴としている。
この特徴によれば、入賞の種類を増やすことなく、有利遊技状態において有利度を高めるための入賞と、準備遊技状態への移行契機となる所定表示結果と、を設けることができる。
【手続補正９】
【補正対象書類名】明細書
【補正対象項目名】００１６
【補正方法】変更
【補正の内容】
【００１６】
本発明の手段６に記載のスロットマシンは、請求項１、２、手段１〜５のいずれかに記載のスロットマシンであって、
前記導出制御手段は、前記事前決定手段により特殊入賞（チェリー）の発生を許容する旨が決定された場合に、前記導出操作手段（ストップスイッチ８Ｌ、８Ｃ、８Ｒ）の操作態様に関わらず必ず前記特殊表示結果（チェリー、移行出目（１））を導出させる制御を行う
ことを特徴としている。
この特徴によれば、特殊遊技状態への契機となる特殊表示結果が導出可能となる特殊入賞の発生を許容する旨が決定された場合には、導出操作手段の操作態様に関わらず必ず特殊表示結果が導出されることとなるため、遊技者の技量に関わらず特殊遊技状態へ移行することに伴う利益を受けることができる。
【手続補正１０】
【補正対象書類名】明細書
【補正対象項目名】００１７
【補正方法】変更
【補正の内容】
【００１７】
本発明の手段７に記載のスロットマシンは、請求項１、２、手段１〜６のいずれかに記載のスロットマシンであって、
前記導出制御手段は、前記事前決定手段により特殊入賞（チェリー）の発生を許容する旨が決定された場合に前記特殊表示結果（チェリー、移行出目（１））を導出させる制御を行い、
前記事前決定手段は、前記特殊入賞（チェリー）の発生を許容する旨を遊技者にとって有利な特別遊技状態（ＢＢ）への移行を伴う特別入賞（特別役）の発生を許容する旨と同時に決定することが可能である
ことを特徴としている。
この特徴によれば、特殊表示結果が導出されることで、特殊遊技状態へ移行するだけでなく、特別入賞の発生が許容されていることに対しても期待させることができる。
【手続補正１１】
【補正対象書類名】明細書
【補正対象項目名】００１８
【補正方法】変更
【補正の内容】
【００１８】
本発明の手段８に記載のスロットマシンは、請求項１、２、手段１〜７のいずれかに記載のスロットマシンであって、
前記特殊遊技状態制御手段は、前記特殊表示結果のうち第１の特殊表示結果（チェリー）が導出された場合と、第２の特殊表示結果（移行出目（１））が導出された場合と、で有利度の異なる前記特殊遊技状態（ＲＴ（４）（５）／ＲＴ（０３）（０４））に制御する
ことを特徴としている。
この特徴によれば、特殊表示結果が導出されることで特殊遊技状態へ移行するだけでなく、その種類に応じて有利度も変化することとなるため、ゲーム性に変化を持たせることができる。